【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】    【請求項１】  粒状の被照射体を、筒状に構成された被照射体通路内の周辺部分に分布させた状態で、この筒状被照射体通路に沿って移動させつつ、この筒状被照射体通路の外側の全周方向から前記の粒状の被照射体に電子線を照射することを特徴とする粒状被照射体の殺菌方法。    【請求項２】  前記の粒状の被照射体は、前記の筒状被照射体通路内において螺旋状に移動することを特徴とする請求項１に記載した粒状被照射体の殺菌方法。    【請求項３】  前記の粒状の被照射体は、前記の被照射体内の軸の回りに回転させられることを特徴とする請求項１又は請求項２のいずれか１項に記載した粒状被照射体の殺菌方法。    【請求項４】  粒状の被照射体を通過させる為の被照射体通路と、この被照射体通路を取り囲んで設けられており真空領域を構成する真空容器と、この真空容器の内部で前記の被照射体通路を取り囲んで設けられており電子を放出する陰極と、前記の真空容器の内部で前記の被照射体通路を取り囲んで設けられており前記の陰極から放出された電子を加速する電子加速手段と、前記の被照射体通路を取り囲んで設けられており前記の電子加速手段によって加速された電子を前記の真空容器の外部に透過させる電子透過窓とを含んで構成されていることを特徴とする粒状被照射体殺菌装置。    【請求項５】  前記の電子透過窓を透過した電子の進行方向と前記の被照射体通路との成す角度を大きくする様に作用する電子集中手段を含んで構成されていることを特徴とする請求項４に記載した粒状被照射体殺菌装置。    【請求項６】  前記の陰極から前記の電子透過窓に至る電子軌道がコーン状であることを特徴とする請求項４又は請求項５のいずれか１項に記載した粒状被照射体殺菌装置。    【請求項７】  前記の電子透過窓に前記の被照射体又は前記の被照射体に含まれる異物が接触するのを防止する機能を有する被照射体接触防止手段を含んで構成されていることを特徴とする請求項４から請求項６のいずれか１項に記載した粒状被照射体殺菌装置。    【請求項８】  前記の被照射体接触防止手段は、前記の電子透過窓と前記の被照射体通路との間に於いて、前記の被照射体の幅よりも狭い開口の穴又はスリットを有する部分を含んで構成されていることを特徴とする請求項７に記載した粒状被照射体殺菌装置。    【請求項９】  前記の被照射体接触防止手段は、前記の電子透過窓と前記の被照射体通路との間に於いて、前記の電子を透過する箔を有する部分を含んで構成されていることを特徴とする請求項７又は請求項８のいずれか１項に記載した粒状被照射体殺菌装置。    【請求項１０】  前記の被照射体接触防止手段は、前記の電子透過窓と前記の被照射体通路との間に於いて、開口部分を有する回転体を含んで構成されていることを特徴とする請求項７から請求項９のいずれか１項に記載した粒状被照射体殺菌装置。    【請求項１１】  前記の被照射体接触防止手段は、前記の被照射体又は前記の被照射体に含まれる異物を前記の被照射体通路に押し戻す方向に流体を流す機構を含んでいることを特徴とする請求項７から請求項１０のいずれか１項に記載した粒状被照射体殺菌装置。    【請求項１２】  前記の被照射体通路内で前記の被照射体に含まれる軸の回りに前記の被照射体を回転させる被照射体回転手段を含んで構成されていることを特徴とする請求項４から請求項１１のいずれか１項に記載した粒状被照射体殺菌装置。    【請求項１３】  前記の被照射体通路内で前記の被照射体を螺旋状に移動させる手段を設けたことを特徴とする請求項４から請求項１２のいずれか１項に記載した粒状被照射体殺菌装置。    【請求項１４】  前記の被照射体通路を構成する表面の内の少なくとも１個の表面から放出した流体を前記の被照射体に吹き付けて前記の被照射体を回転させるるように構成されていることを特徴とする請求項４から請求項１３のいずれか１項に記載した粒状被照射体殺菌装置。    【請求項１５】  前記の電子透過窓は、前記の被照射体通路内に在る前記の被照射体からその進行方向に見えないように構成されたことを特徴とする請求項４から請求項１４のいずれか１項に記載した粒状被照射体殺菌装置。    【請求項１６】  前記の粒状の被照射体は、電子線を照射される位置において、鉛直上方から鉛直下方に移動させられることを特徴とする請求項１から請求項３のいずれか１項に記載した粒状被照射体の殺菌方法。    【請求項１７】  前記の粒状の被照射体は穀物であることを特徴とする請求項１、又は請求項２、又は請求項３、又は請求項１６のいずれか１項に記載した粒状被照射体の殺菌方法。【手続補正２】
【補正対象書類名】明細書
【補正対象項目名】０００１０
【補正方法】変更
【補正の内容】
【０００１０】  次に、従来使用されてきた電子線照射装置について述べる。従来の電子線照射装置は、例えば、特開平１１−１９１９０号に記載されているように、固定されたドラム管状の真空容器の中に直線状の金属フィラメントを取付け、これを通電加熱することによって放出される熱電子を５００ｋＶ以下の電圧で加速し、薄い金属箔で出来た平板状の電子透過窓を透過させて、大気中にある被照射体に電子線を照射するようになっている。従来の電子線照射装置の概略の横断面図を図１０に示している。図１０において、１００１は真空容器であり、１００３は電子銃構造体であり、１００２は電子銃構造体１００３等を支持するターミナルであり、１００４は陰極フィラメントであり、１００５はグリッドであり、１００６は電子を透過させる電子透過窓である。陰極フィラメント１００４から放出された電子がグリッド１００５に印加された電位差で加速され、更に電子透過窓１００６との間に印加された５００ｋＶ以下の電位差で加速されて電子透過窓１００６を透過する。透過した電子線Ｂ０１は照射室内において矢印１００９の方向から矢印１０１０の方向に移動する被照射体１０１１に照射される。この装置は大型であり、電子線の照射方向が一定となっているのでシート状の被照射体に電子線を照射する場合には適するが、粒状の形状をした物体に電子線を照射するのには適さない。この電子線照射装置を用いた粒状物体の殺菌装置では、上述した二律相反の問題が生じることを避けることが出来なかった。また、電子透過窓は粒状の被照射体通路の表面と対面しており、被照射体の衝突や被照射体に含まれる異物の飛来等によって電子透過窓が破損して信頼性が無いと言う問題があった。【手続補正３】
【補正対象書類名】明細書
【補正対象項目名】００１６
【補正方法】変更
【補正の内容】
【００１６】  本発明の請求項１に係わる粒状被照射体の殺菌方法は、粒状の被照射体を、筒状に構成された被照射体通路内の周辺部分に分布させた状態で、この筒状被照射体通路に沿って移動させつつ、この筒状被照射体通路の外側の全周方向から前記の粒状の被照射体に電子線を照射することを特徴とする方法である。本発明を採用することによって、粒状の被照射体を、筒状被照射体通路の実質的に全周囲にわたって薄く、実質的に均等に、整列させた状態で全周囲方向から同時に低エネルギーの電子線を照射するようになるので、粒状の被照射体の重なりが生じない状態で小さなスペースに於いて高速度で粒状の被照射体の表面を均一に殺菌することができる。筒状被照射体通路の外側の全周方向から同時に電子線を照射する電子照射源を採用すること以外に、粒状の被照射体の移動又は回転の速度に比べて格段に早く筒状被照射体通路の外側に於いて電子照射源を周回移動させる方法を採用することも同様の効果を得られ、本発明に含まれる。電子線を照射する瞬間に被照射体の移動を停止して、電子線の照射後に被照射体を移動させることを繰り返すようにした場合も、マクロ的に見れば被照射体を移動させつつ電子線を照射していることに該当するので本発明に含まれる。【手続補正４】
【補正対象書類名】明細書
【補正対象項目名】００１７
【補正方法】変更
【補正の内容】
【００１７】  本発明の請求項２に係わる粒状被照射体の殺菌方法は、請求項１に記載した方法において、前記の粒状の被照射体は、前記の筒状被照射体通路内において螺旋状に移動することを特徴とする方法である。本発明を採用することによって、粒状の被照射体が前記の筒状被照射体通路内の周辺部分を螺旋状に移動するので電子線が照射される環状の領域を長い距離にわたって移動することになり、粒状の被照射体の表面をより完全に照射することができるようになる。【手続補正５】
【補正対象書類名】明細書
【補正対象項目名】００１８
【補正方法】変更
【補正の内容】
【００１８】  本発明の請求項３に係わる粒状被照射体の殺菌方法は、請求項１又は請求項２のいずれか１項に記載した方法において、前記の粒状の被照射体は、前記の被照射体内の軸の回りに回転させられることを特徴とする方法である。本発明を採用することによって、粒状の被照射体が前記の筒状被照射体通路内の周辺部分で被照射体内の軸の回りに強制的に、自らの移動速度よりも速い速度で、回転させられながら低エネルギーの電子線が照射されるので、結果的に粒状の被照射体の全表面に、より確実に、より均一に電子線を照射する事ができる。【手続補正６】
【補正対象書類名】明細書
【補正対象項目名】００１９
【補正方法】変更
【補正の内容】
【００１９】  本発明の請求項４に係わる粒状被照射体殺菌装置は、粒状の被照射体を通過させる為の被照射体通路と、この被照射体通路を取り囲んで設けられており真空領域を構成する真空容器と、この真空容器の内部で前記の被照射体通路を取り囲んで設けられており電子を放出する陰極と、前記の真空容器の内部で前記の被照射体通路を取り囲んで設けられており前記の陰極から放出された電子を加速する電子加速手段と、前記の被照射体通路を取り囲んで設けられており前記の電子加速手段によって加速された電子を前記の真空容器の外部に透過させる電子透過窓とを含んで構成されていることを特徴とする装置である。本発明を採用することによって、特許請求項１〜請求項３に記載した粒状被照射体の殺菌方法を容易に実現することができる。【手続補正７】
【補正対象書類名】明細書
【補正対象項目名】００２０
【補正方法】変更
【補正の内容】
【００２０】  本発明の請求項５に係わる粒状被照射体殺菌装置は、請求項４に記載した装置において、前記の電子透過窓を透過した電子の進行方向と前記の被照射体通路との成す角度を大きくする様に作用する電子集中手段を含んで構成されていることを特徴とする装置である。この発明を採用することによって、電子透過窓を透過した電子が被照射体通路に対して垂直に近づいた状態で被照射体に向かって進行するので被照射体への照射効率を高めることができるとともに、電子透過窓から輻射される熱が被照射体に到達する割合を減少することができるようになった。電子集中手段は、電子透過窓に対向した状態で被照射体通路と同軸的に設けられた同軸形状の磁石によって容易に実現することができる。【手続補正８】
【補正対象書類名】明細書
【補正対象項目名】００２１
【補正方法】変更
【補正の内容】
【００２１】  本発明の請求項６に係わる粒状被照射体殺菌装置は、請求項４又は請求項５のいずれか１項に記載した装置において、前記の陰極から前記の電子透過窓に至る電子軌道がコーン状であることを特徴とする装置である。本発明を採用することによって、電子の運動エネルギーが低い部分が遠方に位置するので、電子透過窓に至るまでの電子軌道が前記の電子集中手段としての磁石の影響を受け難いだけでなく、前記の陰極が比較的小型であり、全体がコンパクトでありながら、被照射体に全周方向から電子線を照射できる粒状被照射体殺菌装置を実現できた。また、陽極の電子通過孔を通過した電子の軌道が長くなっているので、陰極と陽極の間で放電が発生した場合でも前記の電子透過窓が放電の直撃から保護されており、信頼性が高い粒状被照射体殺菌装置を提供することができる。【手続補正９】
【補正対象書類名】明細書
【補正対象項目名】００２２
【補正方法】変更
【補正の内容】
【００２２】  本発明の請求項７に係わる粒状被照射体殺菌装置は、請求項４から請求項６のいずれか１項に記載した装置において、前記の電子透過窓に前記の被照射体又は前記の被照射体に含まれる異物が接触するのを防止する機能を有する被照射体接触防止手段を含んで構成されていることを特徴とする装置である。被照射体接触防止手段によって、前記の粒状の被照射体又は被照射体に含まれる異物が飛び跳ねた場合にも粒状の被照射体が前記の電子透過窓と接触することが防止されているので、電子透過窓が損傷を受けることがないだけでなく、被照射体が高温度の電子透過窓によって過熱されることもないようになっている。この発明を採用することによって、多数の粒状の被照射体に信頼性良く電子線が照射できる粒状被照射体殺菌装置を実現できた。他の目的をもって設けられたものであっても、結果的に前記の被照射体又は被照射体に含まれる異物が前記の電子透過窓に接触するのを防止する機能を持っておれば本発明の被照射体接触防止手段に該当する。【手続補正１０】
【補正対象書類名】明細書
【補正対象項目名】００２３
【補正方法】変更
【補正の内容】
【００２３】  本発明の請求項８に係わる粒状被照射体殺菌装置は、請求項７に記載した装置において、前記の被照射体接触防止手段は、前記の電子透過窓と前記の被照射体通路との間に於いて、前記の被照射体の幅よりも狭い開口の穴又はスリットを有する部分を含んで構成されていることを特徴とする装置である。本発明を採用することによって、簡単な構造で、電子が被照射体通路内に到達するが前記の被照射体が前記の電子透過窓に到達しないようにした被照射体接触防止手段を容易に実現することができる。【手続補正１１】
【補正対象書類名】明細書
【補正対象項目名】００２４
【補正方法】変更
【補正の内容】
【００２４】  本発明の請求項９に係わる粒状被照射体殺菌装置は、請求項７又は請求項８のいずれか１項に記載した装置において、前記の被照射体接触防止手段は、前記の電子透過窓と前記の被照射体通路との間に於いて、前記の電子を透過する箔を有する部分を含んで構成されていることを特徴とする装置である。本発明を採用することによって、簡単な構造で、電子が被照射体通路内に到達するが前記の被照射体又はこれに混入した異物が前記の電子透過窓に到達するのを防ぐ被照射体接触防止手段を実現することができるようになった。特に、被照射体が流体又は微粉を含んだ粒状物体である場合には、この箔によって流体又は微粉の流れを阻止できるようになっている。【手続補正１２】
【補正対象書類名】明細書
【補正対象項目名】００２５
【補正方法】変更
【補正の内容】
【００２５】  本発明の請求項１０に係わる粒状被照射体殺菌装置は、請求項７から請求項９のいずれか１項に記載した装置において、前記の被照射体接触防止手段は、前記の電子透過窓と前記の被照射体通路との間に於いて、開口部分を有する回転体を含んで構成されていることを特徴とする装置である。本発明を採用することによって、簡単な構造で、電子が被照射体通路内に到達するが前記の被照射体が前記の電子透過窓に到達しないようにした被照射体接触防止手段を実現することができるとともに、回転部分による流体の吹き付けの冷却効果によって構造体の温度上昇を防止することができる。特に、被照射体が流体又は微粉を含んだ粒状物体である場合には、この回転体の作用で圧力を生じさせることによって、これらの流体又は微粉を前記の被照射体通路に押し戻すことができるようになっている。【手続補正１３】
【補正対象書類名】明細書
【補正対象項目名】００２６
【補正方法】変更
【補正の内容】
【００２６】  本発明の請求項１１に係わる粒状被照射体殺菌装置は、請求項７から請求項１０のいずれか１項に記載した装置において、前記の被照射体接触防止手段は、前記の被照射体を前記の被照射体通路に押し戻す方向に流体を流す機構を含んでいることを特徴とする装置である。本発明を採用することによって、被照射体の中に微細な粉状の異物が混入している場合や、被照射体が流体を含んでいる場合にも、これらの物質が前記の電子透過窓に到達するのを防止でき、電子透過窓の信頼性を高めた粒状被照射体殺菌装置を実現させることができた。【手続補正１４】
【補正対象書類名】明細書
【補正対象項目名】００２７
【補正方法】変更
【補正の内容】
【００２７】  本発明の請求項１２に係わる粒状被照射体殺菌装置は、請求項４から請求項１１のいずれか１項に記載した装置において、前記の被照射体通路内で前記の被照射体に含まれる軸の回りに前記の被照射体を回転させる被照射体回転手段を含んで構成されていることを特徴とする装置である。本発明を採用することによって、高速度で移動する粒状の被照射体を、粒状の被照射体に含まれる軸の回りに高速で回転させながら被照射体の全周囲を均一に低エネルギーの電子線で照射処理して均一に殺菌できる粒状被照射体殺菌装置を実現できた。【手続補正１５】
【補正対象書類名】明細書
【補正対象項目名】００２８
【補正方法】変更
【補正の内容】
【００２８】  本発明の請求項１３に係わる粒状被照射体殺菌装置は、請求項４から請求項１２のいずれか１項に記載した装置において、前記の被照射体通路内で前記の被照射体を螺旋状に移動させる手段を設けたことを特徴とする装置である。本発明を採用することによって、簡単な構造で、粒状の被照射体を前記の被照射体通路の電子線照射領域内に於いて長い距離を移動させることが出来、高速度に且つ均一に電子線照射処理を行う事ができる粒状被照射体殺菌装置を実現できた。【手続補正１６】
【補正対象書類名】明細書
【補正対象項目名】００２９
【補正方法】変更
【補正の内容】
【００２９】  本発明の請求項１４に係わる粒状被照射体殺菌装置は、請求項４から請求項１３のいずれか１項に記載した装置において、前記の被照射体通路を構成する表面の内の少なくとも１個の表面から放出した流体を前記の被照射体に吹き付けて前記の被照射体を回転させるるように構成されていることを特徴とする装置である。本発明を採用することによって、被照射体通路壁の穴から高圧ガスを吹き付けて粒状の被照射体を前記の被照射体通路の周囲において高速度で自転させることが出来、被照射体の全周囲にわたって均一に電子線照射処理を行う事ができる粒状被照射体殺菌装置を実現できた。【手続補正１７】
【補正対象書類名】明細書
【補正対象項目名】００３０
【補正方法】変更
【補正の内容】
【００３０】  本発明の請求項１５に係わる粒状被照射体殺菌装置は、請求項４から請求項１４のいずれか１項に記載した装置において、前記の電子透過窓は、前記の被照射体通路内に在る前記の被照射体からその進行方向に見えないように構成されたことを特徴とする装置である。本発明を採用することによって、被照射体及びこれに含まれる異物と電子線透過窓の相互作用が防止されて電子線透過窓の信頼性を高めるとともに、電子線透過窓から放射される熱が被照射体に到達する割合を減少させた粒状被照射体殺菌装置を実現できた。【手続補正１８】
【補正対象書類名】明細書
【補正対象項目名】００３１
【補正方法】変更
【補正の内容】
【００３１】  本発明の請求項１６に係わる粒状被照射体の殺菌方法は、請求項１から請求項３のいずれか１項に記載した方法において、前記の粒状の被照射体は、電子線を照射される位置において、鉛直上方から鉛直下方に移動させられることを特徴とする方法である。本発明を採用することによって、粒状の被照射体は前記の被照射体通路の中心軸と同じ方向に重力加速度を置けるので前記の被照射体通路の中心軸に対して軸対称な分布をしながら移動することにより、より均一に電子線を照射されるようになり、より均一な殺菌を行える方法を実現できた。【手続補正１９】
【補正対象書類名】明細書
【補正対象項目名】００３２
【補正方法】変更
【補正の内容】
【００３２】  本発明の請求項１７に係わる粒状被照射体の殺菌方法は、請求項１、又は請求項２、又は請求項３、又は請求項１６のいずれか１項に記載した方法において、前記の粒状の被照射体は穀物であることを特徴とする方法である。穀物は風味を損なわずに表面に付着した細菌を死滅させることが重要であり、本発明の殺菌方法を採用することによって、処理速度を十分に高めた状態で、より完全に目的が達成されるようになった。【手続補正２０】
【補正対象書類名】明細書
【補正対象項目名】００３５
【補正方法】変更
【補正の内容】
【００３５】  図２において、１は真空容器であり、排気管１６に接続された図示しない真空ポンプによって排気されて常時１０−４〜１０−６Ｐａ程度の真空度に保たれた真空空間１０１を形成している。真空空間１０１内において真空容器１の壁に絶縁筒１３が取り付けられており、絶縁筒１３の他端には環状の電子銃取付台１４が固定されている。電子銃取付台１４には環状の取付金具１７を介して環状の陰極２と環状の集束電極３が同軸状に取り付けられている。環状の陰極２はバリウム含浸型カソードであり、内部に取り付けられたヒーターによって加熱されて熱電子を放出する。環状の陰極２及び図示しないヒーターには高電圧リード線１５から−１００ｋＶ程度の負の高電圧が印加される。高電圧リード線１５は図示しない高電圧端子を介して外部の図示しない高電圧電源に接続されている。集束電極３は陰極２に対して正のバイアス電圧が印加でき、このバイアス電圧は前記の高電圧電源によって可変でき、電子の分布状態を制御できるるようになっている。【手続補正２１】
【補正対象書類名】明細書
【補正対象項目名】００３７
【補正方法】変更
【補正の内容】
【００３７】  図２に示すように、前記の平板部４０２の表面に電子透過窓構体６が取り付けられている。電子透過窓構体６の中央には貫通した穴があり、被照射体通路１０の一部を形成している。前記の平板部４０２と電子透過窓構体６との間はＯ―リングなどによって気密に接続されている。電子透過窓構体６には被照射体通路１０の周りに放射状に設けられた多数の窪み６０１と、これと連通した部分を有する環状の溝６０２が設けられている。これらの近傍に環状の冷却水路６０３が設けられており、強制冷却されるようになっている。個々の窪み６０１の間には図示しない隔壁があり、機械的強度を保つようになっている。図２に示すように、電子透過窓構体６の環状溝６０２の端部には環状の電子透過窓７が電子ビーム溶接等により気密に取り付けられており、真空容器１の一部を形成して真空空間１０１を高真空状態に保っている。電子透過窓７は、厚みが１０μｍ程度のチタニューム箔で出来ており、１００ｋｅＶのエネルギーを持って入射した電子のおよそ５０％を透過することができる。【手続補正２２】
【補正対象書類名】明細書
【補正対象項目名】００４３
【補正方法】変更
【補正の内容】
【００４３】  図６の点Ｐ１（ｒ１、θ１、ｚ１）とＺ軸を含む平面における断面図を図７−ａに、これと直角な方向の断面図を図７−ｂに模式的に示している。図７−ａの角度φ１はＲＺ平面内における電子の散乱角度を示しており、半径方向散乱角と呼ぶ。図７−ｂにおける角度φ２はＲＺ平面に垂直な面内における電子の散乱角度を示しており、横方向散乱角と呼ぶ。１００ｋｅＶの運動エネルギーを持って初速度ｖｉで角度φ０だけ傾斜して電子透過窓７に入射した電子は、２０ｋｅＶ程度のエネルギーを減少させて透過した電子の初速度が幾分減少する。これをｖ０とすると、透過電子のＲ、θ、Ｚ方向の速度成分ｖｒ、ｖθ、ｖｚは、それぞれ、ｖｒ＝ｖ０・ｓｉｎ（φ１−φ０）・ｃｏｓ（φ２）、ｖθ＝−ｖ０・ｃｏｓ（φ１−φ０）・ｓｉｎ（φ２）、ｖｚ＝ｖ０・ｃｏｓ（φ１−φ０）・ｃｏｓ（φ２）で表される。【手続補正２３】
【補正対象書類名】明細書
【補正対象項目名】００４５
【補正方法】変更
【補正の内容】
【００４５】  図３は、−１００ｋＶの電圧が印加された環状の陰極２から放出されて、およそ−１００ｋＶが印加された集束電極３によって均一な電子密度をもって集束されて、環状の電子通過孔４０１を形成して接地電位に設定された陽極構体４、陽極リング５から成る電子加速手段によって加速された電子ビーム７０１がコーン状の軌道で走行し、環状の電子透過窓７を透過しておよそ８０ｋｅＶの運動エネルギーをもって横方向散乱角φ２、半径方向散乱角φ１で散乱された電子の軌道をＲＺ平面に投影して模式的に表している。電子透過窓７上の点Ｐ１（ｒ１、θ１、ｚ１）において透過した電子が半径方向散乱角φ１で散乱された電子は、電子集中手段としての前記の電磁石８が無い場合には、大気中における散乱の影響を無視すると、破線７０２’で表すように直線的に進行して被照射体１００に到達しない。しかるに、前記の電磁石８がある場合には、上記の電子は磁束密度成分、Ｂｒ、Ｂｚによって偏向されて、実線で表した軌道７０２で示す様に、被照射体通路１０と成す角度が大きくなって走行するので、被照射体１００に到達する電子の割合が増加している。【手続補正２４】
【補正対象書類名】明細書
【補正対象項目名】００４８
【補正方法】変更
【補正の内容】
【００４８】  上述のように、電子集中手段の例である電磁石８の電子集中効果により、電子透過窓７を透過した電子がＲＺ平面の方向にも、Ｒθ平面の方向にも被照射体１００に近づく様に偏向されるので、被照射体１００に照射される電子の数は合計で３倍程度以上増加することが実験によって確かめられている。図４に示したように、被照射体通路１０の全周囲から同様に集中された電子が多数の被照射体１００に照射される。多数の粒状の被照射体１００は前述のように高速度で自転しながら螺旋状の軌道で被照射体通路１０の外周領域をＺ軸の方向に移動するので、個々の被照射体１００の全表面に均一に電子線が照射される。照射される電子の運動エネルギーは８０ｋｅＶ程度と低い為に被照射体１００の表面のみで吸収され、深部には到達しない。また、電子透過窓７の表面の法線は被照射体通路１０の中心軸Ｚと平行になっているので、電子透過窓７からの輻射熱は被照射体１００に到達し難くなっている。    【実施例】  次に、本発明の粒状被照射体殺菌装置に用いる電子線照射装置の作用及び効果について実施例を用いて更に説明する。被照射体通路の内径は１０ｃｍであり、電子透過窓７は、厚みが１０μｍ、外径が１６ｃｍで内径１２ｃｍのチタニュームの環状薄膜で構成されており、表面積は８８ｃｍ２であり、電子がこの表面に均一に広がって入射する場合について述べる。このような薄膜に信頼性を保って許容される電子入射密度は通常２０Ｗ／ｃｍ２程度であるので、本実施例で許容される入力は１７６０Ｗである。入射電子のエネルギーが１００ｋｅＶである場合には、１７．６ｍＡの電流に相当する。入射した電子のおよそ５０％が電子透過窓７で吸収され、残りのおよそ５０％程度がおよそ８０ｋｅＶの運動エネルギーをもって透過する。透過した電子のパワーは７０４Ｗである。被照射体１００が半径２．５ｍｍの球形であり、密度が１．２ｇ／ｃｍ３であるとすると、電子線が進入する深さはおよそ４０μｍであるので、電子線が照射される部分の１個当りの体積は０．００３１ｃｍ３であり、この部分の質量は０．００３７ｇである。前記の電子集中手段としての電磁石８を用いない場合において、透過した電子のパワーの８％が被照射体１００に命中するものとし、被照射体１個当りに２ｋＧｙの線量を照射する必要がある場合には、１分間に３５ｋｇの被照射体を処理できることになる。【手続補正２５】
【補正対象書類名】明細書
【補正対象項目名】００４９
【補正方法】変更
【補正の内容】
【００４９】  電子集中手段としての電磁石８によって適当な磁束密度を与えて被照射体１００への命中率をおよそ３倍改善すると、被照射体１００の処理速度は１分間に１０５ｋｇに改善される。この電子線照射装置１台の全長はおよそ５０ｃｍであるので直列に装置を接続して使用すると被照射体１００の照射線量はそれだけ増強できる。例えば、５台を直列に接続すると、装置の全長は２．５ｍになるが、被照射体１００の照射線量は２０ｋＧｙに増強され、十分な照射線量を得ることができる。更に、処理速度を高める必要があれば、電子透過窓７の面積を大きくして電子透過窓７に入射する電子の分布を広げ、電子透過窓７における電子密度を小さく保った状態で電子透過窓７を透過させ、透過した電子を前記の電子集中手段で被写体に命中させることによって容易に達成できる。電子の分布を広げることは、例えば電子分散手段としての集束電極３のバイアス電圧を高めることによって容易に実現できる。電子透過窓７の少なくとも一方の面に放射状のフィンを設けて電子透過窓をよりよく冷却することによって更に処理速度を増すことができる。また、上記の電子線照射装置を並列に稼動させることによって処理速度は際限なく増加させることができる。この場合、個々の電子線照射装置がコンパクトであるので設置スペースも過大にならず、安価な施設で本発明の粒状被照射体殺菌装置を稼動させることができる。